(57)【要約】  【課題】  画像表示装置の視角を越える角度からでも画像表示装置に表示される画像を見ることができ、例えばディジタルカメラに応用した場合、ディジタルカメラの操作の自由度を拡張することができる画像表示装置用反射装置を提供する。  【解決手段】  液晶表示装置の周囲に設けられ、該液晶表示装置に表示される画像を反射する反射装置であって、水平方向に対向する位置にそれぞれ取付座を設けてなるフレームと、該取付座に回動自在に設けられる上アームと、該上アームの一端に回動自在に設けられる下アームと、該下アームに回動自在に設けられ、該液晶表示装置に表示される画像を反射する反射板と、該液晶表示装置の両側にそれぞれ設けられ、該フレームを嵌着するためのスライド溝を形成してなるガイド座とによって構成する。【選択図】  図５
0003107549.tif 000002
【実用新案登録請求の範囲】
【請求項１】
液晶表示装置の周囲に設けられ、該液晶表示装置に表示される画像を反射する反射装置であって、
水平方向に対向する位置にそれぞれ取付座を設けてなるフレームと、
該取付座に回動自在に設けられる上アームと、該上アームの一端に回動自在に設けられる下アームと、
該下アームに回動自在に設けられ、該液晶表示装置に表示される画像を反射する反射板と、
該液晶表示装置の両側にそれぞれ設けられ、該フレームを嵌着するためのスライド溝を形成してなるガイド座とによって構成されることを特徴とする画像表示装置用反射装置。
【請求項２】
前記反射板が光線を反射する鏡面を有することを特徴とする請求項１に記載の画像表示装置用反射装置。
【考案の詳細な説明】
【技術分野】
【０００１】
この考案は、画像表示装置用反射装置に関し、特にディジタルカメラの画像表示装置に設け、該画像表示装置に表示される画像を反射して異なる角度から該画像表示装置に表示される画像が見えるようにする画像表示装置用反射装置に関する。
【背景技術】
【０００２】
データのディジタル化技術が進む中で、関連する技術はますます発展をしている。ディジタルカメラは、このような流れの中で広く普及するようになってきた。ディジタルカメラは、メモリカードを媒体として、カメラがキャプチャした画像を保存する。これは従来のスチールカメラのフィルムにとって代わるものであって、この点において便利である。また、ディジタルカメラは撮影した画像をその場でカメラに設けられた画像表示装置から確認することができる。したがって、カメラによる撮影技術に詳しくない初心者にとっては、極めて扱い易いものである。
【０００３】
ディジタルカメラに設けられている画像表示装置は、使用者が撮影した画面を見るために供する。よって、特殊な環境で撮影するか、もしくは光線の条件が特殊である場合を除き、従来のスチールカメラのようにファインダーを覗いてピントを合わせたりする必要がない。ディジタルカメラの画像表示装置は、小型の液晶表示装置が用いられる。これは電光製品に属するパネル状の表示装置の一種であって、薄く、軽量で、体積が小さく、且つ消費電力が小さく、画面が点滅することなく、電磁波の輻射がないなど、数多くの特徴を具える。
【０００４】
液晶表示装置とは、液晶を画像表示装置に応用したものであって、液晶の電光効果と偏光特性を利用して画像を表示する。よって、視角が限られていて死角を有し、この点が欠点となっている。即ち、使用者が液晶表示装置の画面を見る角度が所定の角度を越して傾斜していたり、液晶表示装置の屈折角度を超えていたりすると、画面に表示される画像を見ることがが出来なくなる。ディジタルカメラは、かかる欠点を有する液晶表示装置を画像表示とするため、撮影する場合のカメラを持つ角度の自由度に制限を受ける。特に、人ごみの中で撮影する場合、もしくは特殊な角度で撮影する場合、ディジタルカメラを高く掲げた状態で撮影するか、もしくはディジタルカメラを下方にして撮影する必要がある。このように撮影する角度が大きい場合、液晶表示装置の画面を見ることができなくなり、画面表示装置を設ける意味がなくなる。
【考案の開示】
【考案が解決しようとする課題】
【０００５】
上述のとおり、従来のディジタルカメラは液晶表示装置による画像表示装置を具えているが、画面を見る角度が所定の角度を超えると画面を見ることが出来なくなるという欠点を有する。
【０００６】
したがって、この考案の課題は、ディジタルカメラなどに設けられる液晶表示装置の死角を無くし、異なる角度から該液晶表示装置に表示される画像が見られるようにする画像表示装置用反射装置を提供することにある。
【課題を解決するための手段】
【０００７】
そこで本考案者は、従来の技術に鑑み鋭意研究を重ねた結果、水平方向に対向する位置にそれぞれ取付座を設けてなるフレームと、該取付座に回動自在に設けられる上アームと、該上アームの一端に回動自在に設けられる下アームと、該下アームに回動自在に設けられ、該液晶表示装置に表示される画像を反射する反射板とによってなる反射装置をディジタルカメラなどの液晶表示装置に設けるか、もしくは、該フレームを嵌着するためのスライド溝を形成してなるガイド座をディジタルカメラなどの液晶表示装置に設け、該ガイド座に成就する反射板を嵌着する画像表示装置用反射装置の構造によって課題を解決できる点に着眼し、係る知見に基づき本考案を完成させた。
以下、この考案について具体的に説明する。
【０００８】
請求項１に記載する画像表示装置用反射装置は、液晶表示装置の周囲に設けられ、該液晶表示装置に表示される画像を反射する反射装置であって、
水平方向に対向する位置にそれぞれ取付座を設けてなるフレームと、
該取付座に回動自在に設けられる上アームと、該上アームの一端に回動自在に設けられる下アームと、
該下アームに回動自在に設けられ、該液晶表示装置に表示される画像を反射する反射板と、
該液晶表示装置の両側にそれぞれ設けられ、該フレームを嵌着するためのスライド溝を形成してなるガイド座とによって構成される。
【０００９】
請求項２に記載する画像表示装置用反射装置は、請求項１における反射板が光線を反射する鏡面を有する。
【考案の効果】
【００１０】
本考案の画像表示装置用反射装置は、画像表示装置の視角を越える角度からでも画像表示装置に表示される画像を見ることができるため、例えばディジタルカメラに応用した場合、ディジタルカメラの操作の自由度を拡張することができるという利点がある。
【考案を実施するための最良の形態】
【００１１】
この考案はディジタルカメラなどの液晶表示装置に設けられる画像表示装置用反射装置を提供するものであって、水平方向に対向する位置にそれぞれ取付座を設けてなるフレームと、該取付座に回動自在に設けられる上アームと、該上アームの一端に回動自在に設けられる下アームと、該下アームに回動自在に設けられ、該液晶表示装置に表示される画像を反射する反射板とによって構成する。
係る構成の画像表示装置用反射装置について、その構造と特徴を詳述するために具体的な実施例を挙げ、以下に説明する。
【実施例】
【００１２】
図１に開示するように、この考案による画像反射装置２は、ディジタルカメラ１の液晶表示装置１１の周囲に
設けられる。該液晶表示装置１１は主にレンズ１２によって撮影する場合に画面をリアルタイムで表示するか、もしくはメモリカードに記録した画像を表示するか、もしくはディジタルカメラ１の設定に関する表示を行うために供する。よって該液晶表示装置１１は、ディジタルカメラを操作する場合目で確認できる位置に存在しなければならない。
【００１３】
液晶表示装置１１は、上述する通り視覚上の死角を有するという欠点がある。すなわち、使用者が該液晶表示装置１１を見る角度が傾斜しすぎていると表示される画像を見ることができなくなる。そこで本考案においては、反射装置２を液晶表示装置１１の周囲に設ける。反射装置２は少なくともフレーム２１と、該フレーム２１上において、水平方向に対向する位置にそれぞれ設けられる取付座２２、２２’と、該取付座２２、２２’に回動自在に設けられる上アーム２３と、該上アーム２３の一端に回動自在に設けられる下アーム２４と該下アーム２４に回動自在に設けられる反射板２５とを具えてなる。該反射板２５は上下方向に反転させることができるように設けるとともに、一方の面を反射面２５０とし、液晶表示装置１１に表示される画像を反射できるようにする。反射板２５は、好ましくは鏡を具えてなり、反射面２５０が鏡面である。係る構造によって、使用者が液晶表示装置１１を見る角度の問題を解決することができる。即ち液晶表示装置における視角が狭く、死角を有するという問題を改善し、視角を大幅に拡張することができる。
【００１４】
この考案による画像表示装置用反射装置を使用する場合は、図２、図３に開示するようにディジタルカメラ１の液晶表示装置１１を見る角度が大きい場合でも液晶表示装置１１に表示される画像を見ることができる。例えば、展示会場、記者会見の会場、もしくはその他催し物の会場など、人が多い場所においてディジタルカメラ１を上方に掲げたり、下方に位置させたりして撮影する場合、反射板２５を回転させ、上アーム２３、下アーム２４を介して位置を調整して、反射板２５の反射面２５０を液晶表示装置１１に正確に対応させることによって、表示される画像を反射させることができる。よって、視角の有効範囲を大幅に拡張することができ、液晶表示装置における視角の問題を改善することができる。従って、使用者は視角の制限を受けることなくディジタルカメラ１を操作することができる。
【００１５】
図４に開示するように、反射装置２はディジタルカメラ１にガイド座２６、２６’を設け、該ガイド座２６、２６’に取りつけるようにしてもよい。ガイド座２６，２６’はいずれもスライド溝２６０を形成し、該スライド溝２６０の幅は反射装置２のフレーム２１の厚さに合わせて形成する。係る構造は、反射装置２をガイド座２６，２６’のスライド溝２６０に嵌着して取りつける。ガイド座２６、２６’は目下市販されている既存のディジタルカメラに反射装置２を設けるためのものである。即ち図５に開示するようにスライド座２６，２６’をディジタルカメラ１の液晶表示装置１１の両側に固定し、反射装置２のフレーム２１を嵌着させる。使用する場合は同様に反射板２５を回転させ上アーム２３、下アーム２４を介して位置を調整して、反射板２５の反射面２５０を液晶表示装置１１に正確に対応させる。よって同様に視角の問題を改善することができる。
【００１６】
上述する通りガイド座２６，２６’を設ける構造は、既存する従来のディジタルカメラにこの考案の反射装置２を設けるためである。ただし係る構造はディジタルカメラのみならず、その他液晶表示装置を具える製品に応用することができ、同様に視角の問題を改善することができる。
【００１７】
以上はこの考案の好ましい実施例であって、この考案の実施の範囲を限定するものではない。よって、当業者のなし得る修正、もしくは変更であって、この考案の精神の下においてなされ、この考案に対して均等の効果を有するものは、いずれも本考案の実用新案請求の範囲に属するものとする。
【図面の簡単な説明】
【００１８】
【図１】この考案による画像表示装置用反射装置をディジタルカメラに設けた状態を示した斜視図である。
【図２】この考案による画像表示装置用反射装置の使用態様を示した説明図である。
【図３】この考案による画像表示装置用反射装置の使用態様を示した他の説明図である。
【図４】この考案におけるガイド座と反射装置の関係を示した説明図である。
【図５】図４に開示するガイド座と反射装置とをディジタルカメラに設けた状態を示した斜視図である。
【符号の説明】
【００１９】
１                     ディジタルカメラ
１１                  液晶表示装置
１２                  レンズ
２                     反射装置
２１                  フレーム
２２、２２              取付座
２３                  上アーム
２４                  下アーム
２５                  反射板
２５０               反射面
２６、２６’              ガイド座
２６０               スライド溝
【図１】
0003107549.tif 000003
【図２】
0003107549.tif 000004
【図３】
0003107549.tif 000005
【図４】
0003107549.tif 000006
【図５】
0003107549.tif 000007